(57)【要約】【課題】対象物の形状に関わらず結束可能であって、特に結束状態が安定する結束バンドを提供すること。【解決手段】対象物に巻回して結束する結束バンド１であって、長手方向に伸縮するバンド本体１０と、互いに係着する面ファスナーの第１面と第２面について、該バンド本体片面の一端には第１面１１を設けるとともに、該第１面及びその背面以外の部位で、該バンド本体の両面略全体に第２面１０を設ける構成において、第２面の少なくとも一部には該結束バンドと対象物との滑り止め手段１４を備えた結束バンドを提供する。【選択図】図１
2019167142.tif 000002
【特許請求の範囲】
【請求項１】
対象物に巻回して結束する結束バンドであって、
長手方向に伸縮するバンド本体と、互いに係着する面ファスナーの第１面と第２面について、該バンド本体片面の一端には該第１面を設けるとともに、該第１面及びその背面以外の部位で、該バンド本体の両面略全体に該第２面を設ける構成において、
該第２面の少なくとも一部には該結束バンドと対象物との滑り止め手段を備えたことを特徴とする結束バンド
【請求項２】
前記結束バンドにおいて、
前記第１面が設けられた前記一端の他端側に、前記一端を挿通して折り返すための環状体を備えた
ことを特徴とする請求項１に記載の結束バンド。
【請求項３】
前記滑り止め手段が、前記環状体近傍で前記第１面の裏面側に備えられる
請求項２に記載の結束バンド。
【請求項４】
前記結束バンドのいずれかの部位に、蛍光塗料又は夜光塗料を用いた印刷部を備えた
請求項１ないし３のいずれかに記載の結束バンド。
【請求項５】
前記結束バンドのいずれかの部位を、蛍光材料又は夜光材料により形成した
請求項１ないし３のいずれかに記載の結束バンド。
【発明の詳細な説明】
【技術分野】
【０００１】
本発明は、対象物を束ねたり、対象物又は対象物同士を締縛するための結束バンドである。
【背景技術】
【０００２】
従来からケーブルなどを結束するために、フック面とループ面を備えた面ファスナーをバンドとして用い、バンドの端部に備えた環状体でバンドを折り返した上で重着させる結束具が周知である。
一般的な面ファスナーは伸縮せず、これを使用した結束具においても面ファスナー部分は伸縮しないので、強く結束する場合には力をいれて締めた上で面ファスナーを重着するしかない。
【０００３】
改良された結束具の例として特許文献１では、雌雄の面ファスナーを片面に備えた非伸縮性の操作ベルトと、操作ベルトよりも短く形成した伸縮性を有する当接ベルトと、締縛調節体とを備え、長手中央部分に弛ませた状態で操作ベルトを面ファスナー取付面側を上側として重ね、前記当接ベルトの一方の面の両端部分に、操作ベルの下面両端部分を固着した結束具が開示されている。本構成によると、当接ベルトの伸縮性を利用して面ファスナーである操作ベルトにテンションを加えることができる。
このように面ファスナーと伸縮性のシートを重ねる構成は特許文献２、特許文献３にも開示されている。
【０００４】
また、特許文献４では伸縮性を有する樹脂テープの両端にフック面ファスナーとループ面ファスナーを備え、樹脂テープを延ばした上で面ファスナーを重着する構成が開示されている。本構成では、樹脂テープの端部と面ファスナーの連結部が、面ファスナーの係合素子が存在しない耳部の上下両面を、樹脂テープから延設された熱可塑性エラストマーで挟み一体化した構造とするなど、連結部分に工夫を行っている。
このように面ファスナーの端部に伸縮性に富むテープを備えた構成は特許文献５にも記載されている。
【０００５】
出願人による特許文献６では、製造も簡便かつ低コストであり、結束時に結束バンド及び対象物が判別しやすい結束バンドを提供することを目的として、ループ面とフック面が重着可能な面ファスナーを用い、一面にループ面を有するループ面部と、ループ面部の長手方向一端側に連設され、ループ面と同一面にフック面を有するフック面部と、ループ面部の長手方向他端側に付設され、一端側を挿通して折り返すための環状体とを備えた構成において、ループ面部が長手方向に伸縮可能な伸縮材料で形成されている結束バンドを提案している。
【先行技術文献】
【特許文献】
【０００６】
【特許文献１】特開平10-324364
【特許文献２】特開2014-101138
【特許文献３】特許第3028212号
【特許文献４】特開2009-190742
【特許文献５】実開平6-27612
【特許文献６】実用新案登録第3211100号
【発明の概要】
【発明が解決しようとする課題】
【０００７】
上記特許文献に挙げた技術では伸縮可能な結束バンドにおいてループ面とフック面を備えて簡便に結束することは実現できているものの、特にバンド本体が伸縮する構成ではフック面が確実にループ面に当接できない場合があり使い勝手が悪いことがあった。
また、張力が生じるために結束バンドが巻回方向に滑ったり、フック面がループ面から離脱しやすい問題があった。
【０００８】
本発明はこのような従来技術の有する問題点に鑑みて創出されたものであり、対象物の形状に関わらず結束可能であって、特に結束状態が安定する結束バンドを提供することを目的とする。
【課題を解決するための手段】
【０００９】
上記課題を解決するため、本発明は次のような結束バンドを提供する。
すなわち、対象物に巻回して結束する結束バンドであって、長手方向に伸縮するバンド本体と、互いに係着する面ファスナーの第１面と第２面について、バンド本体片面の一端には第１面を設けるとともに、第１面及びその背面以外の部位で、バンド本体の両面略全体に第２面を設ける構成において、第２面の少なくとも一部には該結束バンドと対象物との滑り止め手段を備えたことを特徴とする結束バンドを提供する。
【００１０】
第２の実施形態として、上記結束バンドにおいて、第１面が設けられた上記一端の他端側に、この一端を挿通して折り返すための環状体を備えた構成でもよい。
【００１１】
第３の実施形態として、上記滑り止め手段が、環状体近傍で第１面の裏面側に備えられることができる。
【００１２】
第４の実施形態として、上記結束バンドのいずれかの部位に、蛍光塗料又は夜光塗料を用いた印刷部を備えることもできる。
あるいは第５の実施形態として、結束バンドのいずれかの部位を、蛍光材料又は夜光材料により形成することもできる。
【発明の効果】
【００１３】
本発明によれば、バンド本体が長手方向に伸縮可能な伸縮材料で形成されていることにより、結束しやすく、結束後も対象物の動きに柔軟に対応する結束バンドを提供することができる。
そして、対象物が小径であったり、結束バンドを伸長させて結束した際にも第１面が確実に第２面に対向することで面ファスナーが係着し、結束状態が安定する結束バンドを提供することができる。
【００１４】
同時に、滑り止め手段を備えることで、張力が生じても巻回方向に滑りにくいため巻きやすく、面ファスナーの離脱なども防ぐことができる。
【００１５】
蛍光塗料又は夜光塗料を用いた印刷部を備えたり、結束バンドのいずれかの部位を、蛍光材料又は夜光材料により形成することによって、結束時に目立ち、使用性の向上を図ることができる。
特に暗所において夜光塗料や夜光材料が発光することで対象物にぶつかって破損したり、つまずく恐れがなく、安全性の向上にも寄与する。
【図面の簡単な説明】
【００１６】
【図１】本発明に係る結束バンドの表面を示す説明図である。
【図２】本発明に係る結束バンドの裏面を示す説明図である。
【図３】本発明に係る結束バンドの巻回の様子を示す説明図である。
【図４】結束バンドの伸長量を示す説明図である。
【図５】結束バンドの使用状態を示す説明図である。
【発明を実施するための形態】
【００１７】
以下、本発明の実施形態を、図面に示す実施例を基に説明する。なお、実施形態は下記に限定されるものではない。
図１には本発明に係る結束バンド（１）の表面を示す説明図を、図２には同、裏面を示す説明図をそれぞれ示す。
【００１８】
結束バンド（１）には、本発明の第１面であるフック面と、第２面であるループ面が重着可能な面ファスナーを用いる。面ファスナーが重着する原理やループ面及びフック面の製造方法については周知であるので説明を省略する。なお面ファスナーであればフック面・ループ面からなる構成に限定されない。
図示されるように、結束バンド（１）はループ面（１０ａ）を有するループ面部（１０）と、ループ面部（１０）の長手方向一端側に連設され、ループ面（１０ａ）と同一面にフック面（１１ａ）を有するフック面部（１１）とを備える。
【００１９】
従来の結束バンドはこのように片面にループ面とフック面を備えているが、本発明ではその裏面にも第２面であるループ面（１０ｂ）を形成している。ループ面（１０ｂ）はループ面（１０ａ）の背面に対応する部位に設けられており、第１面であるフック面（１１ａ）の背面に対応する部位（１１ｂ）には形成されていない。なお、背面に対応する部位（１１ｂ）にもループ面を形成することを妨げるものではない。
【００２０】
さらに、ループ面部（１０）の長手方向他端側、すなわちフック面部（１１）とは反対側には、フック面部（１１）の先端を挿通しループ面部（１０）の向きに折り返すための環状体（１２）を備える。
本発明では必ずしも環状体を備える必要はなく、他の任意の折り返し構造体を備える、あるいは何も備えなくてもよい。
【００２１】
本発明は、ループ面部（１０）が長手方向に伸縮可能な伸縮材料で形成されていることを特徴とする。すなわち、ループ面部（１０）自体が伸縮し、好ましくはループ面部（１０）の全長が伸縮材料で形成されている。本実施例では、ループ面（１０ａ）を構成する微小なループ上の毛先を表面側がゴム基材上に植毛して形成している。ただし、材料はこれに限定されない。
なお、本発明においてフック面部（１１）も伸縮材料で形成してもよい。
【００２２】
上記構成に加えて、本発明ではループ面（１０ｂ）において対象物とずれにくくする滑り止め手段である多数のゴム突起（１４）を備える。ゴム突起は例えば天然ゴムを点状に融着したもので、軍手の滑り止めとして用いられる構成が公知である。
ゴム突起（１４）は図示のようにループ面（１０ｂ）の全体に配列させてもよいが、環状体（１２）近傍だけに設けてもよい。すなわち、環状体（１２）の近傍は対象物と必ず当接するため、少なくともこの部位に滑り止め手段を備えれば、結束バンド（１）を伸長させるように張力をかけても対象物と滑りにくく、結束しやすい。
【００２３】
滑り止め手段としては、上記点状の突起に限らず、例えばジグザグ状、線状など任意の態様でもよい。また全面にニトリルゴムやポリウレタンのコーティングを施して滑り止めとしてもよい。滑り止め手段を設ける領域は、ループ面（１０ｂ）のうち、環状体（１２）寄りの半分程度の領域とすることができる。
【００２４】
上記の構成によって図３のように様々な太さの対象物を結束する際に有効である。すなわち、対象物が通常の設計範囲にある場合は環状体（１２）で折り返したフック面（１１ａ）が、領域Ａのループ面（１０ａ）と係着する。ところが、本発明のようにベルト本体（１０）が伸長する場合、力をかけて巻回すると図示されるように２重に巻き付くことがある。特に対象物が小径な場合にこのような状態になりやすい。
【００２５】
２重に巻かれると、折り返した領域Ｂではループ面（１０ａ）が内周側になるため、フック面（１１ａ）はループ面（１０ａ）と係着することができない。ループ面（１０ａ）の背面と当接することになる。
そこで、本発明ではこのループ面（１０ａ）の背面にもループ面（１０ｂ）を設け、２重に巻かれた後のフック面（１１ａ）と係着できるようにした。
【００２６】
このような状態は、伸縮しないベルト本体（１０）では２重になることが少なく、このような問題が生じることはほとんどなかったが、本発明において伸長させながら係着させる場合に特に生じる問題を解消している。
従って、本発明の構成は、伸縮するバンド本体との組み合わせにおいて特に効果を奏するものである。
【００２７】
同時に、ゴム突起（１４）が対象物に当接し、特に環状体（１２）近傍に備えればベルト本体（１０）が周方向にずれることを防止できることが図示からも明らかである。従来からベルト本体（１０）が対象物の周りに巻き付けようとすると滑って回転してしまうことがあった。
【００２８】
本発明のようにベルト本体が伸縮する構成では、フック面部（１１）を引張ながら巻回するため、さらに滑りやすくなる。この時ゴム突起（１４）が対象物と係止することで巻き付け易く、巻き付けた後にも対象物と安定して結束することができる。合わせて、対象物の軸方向にもずれることがなく好適である。
【００２９】
図４には、本発明に係る結束バンド（１）の伸長量を示す。本実施例におけるループ面部（１０）とフック面部（１１）を合わせた全長は１６ｃｍであり、収縮した状態においてループ面部（１０）の全長が１１ｃｍ、フック面部（１１）の全長が５ｃｍである。
そして、最大まで伸長させた時に、ループ面部（１０）の全長は１８ｃｍまで伸長する。本発明においてフック面部（１１）は伸縮しないので全長は５ｃｍのままである。
【００３０】
本発明の全長は上記に限定されず、例えばループ面部（１０）の全長が１５ｃｍ、フック面部（１１）の全長が５ｃｍ、ループ面部（１０）の全長が１９ｃｍ、フック面部（１１）の全長が５ｃｍなどでもよい。フック面部も５ｃｍよりも長くても短くてもよい。
結束バンド（１）の幅は本実施例では約２ｃｍとしている。幅についても３ｃｍないし５ｃｍのように幅広に構成してもよく、この場合には結束する強度を増すことができる。
【００３１】
ここで、結束バンド（１）を用いて対象物を束ねたり、対象物又は対象物同士を締縛する際に、ある程度の伸長量がなければ本発明の効果が乏しく、また伸長しやすいとループ面部を伸ばしすぎてしまって重着力が低下してしまう。本発明者は実験によって、ループ面部の収縮時と最大伸長時の長さの比が２：３ないし２：５の範囲となるような伸縮材料を用いると特に好適であることを見出した。本実施例においてもこの比は１１：１８であり当該範囲内となるように構成している。
【００３２】
本発明に係る結束バンド（１）は以上の構成をとるので、製造が簡便かつ低コストであり、ループ面（１０）の伸縮によって結束する対象に適度な緊張力を生じさせ、良好な締縛を行うことができる。
【００３３】
次に、第２の実施態様について説明する。図５には結束バンドの使用状態を示す。
結束バンド（１）のフック面部（１１）の表面には、夜光塗料を用いた印刷部（１３）を有している。夜光塗料として、蓄光塗料やトリチウムなどを含んだ自発光塗料を用いることができる。
【００３４】
結束バンド（１）を対象物、例えばケーブルの束（２）の周りに巻回し締縛すると、図５のように印刷部（１３）が環状体（１２）で折り返されて表面に露出する。印刷部（１３）が夜光するため、暗所においては結束バンド（１）を目立たせることができる。
【００３５】
例えば、写真スタジオでは機材を結ぶ多数のケーブルが用いられており、これらを本発明の結束バンド（１）で締縛するとケーブルの整理を行いやすいだけでなく、ケーブルにつまずいたり、引っ掛けて破損する恐れを減少することができる。また、結束バンド（１）を取り外す際にも見つけやすく、作業性が向上する。
本発明の結束バンド（１）は、結束した対象物を目立たせることを目的として用いることもできる。
【００３６】
印刷部（１３）は、企業名や製品名などの文字を表示したり、マークを表示することもできる。結束しているコードの用途、例えば「１００Ｖ電源」「ストロボＡ」「スピーカー左」などを表示してもよい。警告・注意事項として「高圧注意」「取扱注意」などを表示してもよい。用途や警告・注意事項をマークで表してもよい。
【００３７】
夜光塗料に替えて、蛍光塗料で表示してもよい。蛍光塗料の印刷部を備えて目立ちやすくすることもできる。また、紫外光により蛍光させることもできる。印刷部（１３）はフック面部（１１）に限らず、ループ面部（１０）や環状体（１２）に備えてもよい。それらの全て又は全部に備えてもよい。例えばこれらとは別に結束バンド（１）の任意の部位から延設したタブ部（図示せず）を設けて、そのタブ部に印刷部を備えてもよい。
【００３８】
本発明の第３の実施形態によれば、結束バンドのいずれかの部位を、蛍光材料又は夜光材料により形成した結束バンドを提供することができる。例えば環状体（１２）を夜光材料で形成することで環状体（１２）全体が夜光し、上記と同様の効果を得ることができる。ループ面部（１０）やフック面部（１１）の基材を夜光材料とすることもできる。
夜光材料に替えて蛍光材料で形成することもできる。
【００３９】
本発明で結束する対象物は、ケーブルに限らず、任意の物、人体などの生体を対象とすることができる。
【符号の説明】
【００４０】
１    結束バンド
１０  ループ面部
１１  フック面部
１２  環状体
１３  印刷部
１４  ゴム突起
２    ケーブル
【図１】
2019167142.tif 000003
【図２】
2019167142.tif 000004
【図３】
2019167142.tif 000005
【図４】
2019167142.tif 000006
【図５】
2019167142.tif 000007